(57)【要約】【課題】  ヒール取付部の強度、剛性を高め、ヒール取付部とヒール部材の連結状態を強固、堅牢とし、シャンク及び補強板は、前後方向でのスライド調節が可能で、取扱い易く、構成簡素で、耐久性があり、組立容易で、量産に適し、経済的で、事故等を確実に防げて、安全で、信頼性ある婦人靴に最適な補強装置を提供する。【解決手段】  中底ボード５と、ファイバーボード２と、補強板３と、シャンク４とを備え、シャンク４と補強板３とファイバーボード２は、固定具２０によって鋲着し、シャンク４と補強板３とファイバーボード２とヒール部材７は、止着釘２５、２６の叩打により止着し、止着釘２５は、中底ボード５を貫通し、切欠長孔１５及び長孔１０に挿通し、ファイバーボード２を貫通してヒール部材７に止着し、複数の止着釘２６は、中底ボード５及び補強板３及びファイバーボード２を貫通してヒール部材７に止着するよう構成する。【選択図】図１
2006255198.tif 000002
【特許請求の範囲】
【請求項１】
婦人靴の略靴底形状を呈する中底ボードと、この中底ボード下面の略後半部がわに接着される比較的硬質なファイバーボードと、このファイバーボードと中底ボードの間に介装される薄板金属状の補強板と、ファイバーボードと中底ボードの間に介装されると共に、その後端部がわが補強板と中底ボードとの間に介装される適宜金属製のシャンクとを備え、このシャンクには、後端がわが開放されている平面略Ｕ字状となる切欠長孔が切設されると共に、この切欠長孔の前方がわに取付孔が穿設され、前記補強板には、後端部寄りに前後方向に長い長孔が穿設され、シャンクと補強板とファイバーボードは、前記取付孔及び長孔に挿通されると共にファイバーボードを貫通する略リベット状の固定具によって鋲着され、更に、シャンクと補強板とファイバーボードとヒール部材は、ファイバーボードの上面がわからの複数の止着釘の叩打により止着され、少なくとも中央の一本の止着釘は、中底ボードを貫通し、切欠長孔及び長孔に挿通され、ファイバーボードを貫通してヒール部材に止着され、中央の止着釘の周囲に配される他の複数の止着釘は、中底ボード及び補強板及びファイバーボードを貫通してヒール部材に止着されるように構成したことを特徴とする婦人靴に於けるヒール取付部の補強装置。
【請求項２】
補強板全体に、その厚み方向で凹凸状となるような補強凹凸部を多数設けたことを特徴とする請求項１記載の婦人靴に於けるヒール取付部の補強装置。
【発明の詳細な説明】
【技術分野】
【０００１】
本発明は、主に、比較的高いヒールを有する婦人靴等で採用されるもので、ヒール等に比較的強い不意の外力等が加えられた時でも、ヒール取付部からヒール部材が脱落したり、或いはヒール取付部が変形したりすることがないように工夫した婦人靴に於けるヒール取付部の補強装置に関するものである。
【背景技術】
【０００２】
従来、この種のヒール取付部にあっては、例えば、特許文献１の従来例として開示されているような手段が採用されていた。
すなわち、靴底をヒール本体に載置し、下面に金属製剛体からなる縦細のシャンクをハトメでハトメ留めした中底を該靴底の上面に載置し、中底の上面からクギをヒール芯体に靴底を貫通して打ちつけて組み立てていた。すなわち、中底で靴底をヒール本体に留めて一体化し、更に、中底の上面に中敷により上記ハトメ及びクギの頭を覆って貼着するような手段が採用されていた。
【０００３】
【特許文献１】特開平１０−１４６２０２号（図８、図７）
【発明の開示】
【発明が解決しようとする課題】
【０００４】
ところが、前述の如き従来からの手段によるものは、特に、高いヒールの場合に、ヒール等に比較的強い不意の外力等が加えられると、ヒール取付部からヒール部材が脱落したり、或いはヒール取付部が大きく変形したりする虞があった。
【課題を解決するための手段】
【０００５】
そこで、本発明は、ヒール取付部の強度、剛性を高められるようにすると共に、ヒール取付部とヒール部材との連結状態がより強固となるようにして、強い外力等がヒール等に加えられても、ヒール部材が脱落したり、ヒール取付部が変形したりすることがなく、使用者の事故を防ぎ、より安全で、信頼性ある婦人靴を提供できるようにすべく創出されたものである。
【０００６】
しかして、請求項１記載のヒール取付部の補強装置にあっては、婦人靴の略靴底形状を呈する中底ボード５と、この中底ボード５下面の略後半部がわに接着される比較的硬質なファイバーボード２と、このファイバーボード２と中底ボード５の間に介装される薄板金属状の補強板３と、ファイバーボード２と中底ボード５の間に介装されると共に、その後端部がわが補強板３と中底ボード５との間に介装される適宜金属製のシャンク４とを備え、このシャンク４には、後端がわが開放されている平面略Ｕ字状となる切欠長孔１５が切設されると共に、この切欠長孔１５の前方がわに取付孔１６が穿設され、前記補強板３には、後端部寄りに前後方向に長い長孔１０が穿設され、シャンク４と補強板３とファイバーボード２は、前記取付孔１６及び長孔１０に挿通されると共にファイバーボード２を貫通する略リベット状の固定具２０によって鋲着され、更に、シャンク４と補強板３とファイバーボード２とヒール部材７は、ファイバーボード２の上面がわからの複数の止着釘２５、２６の叩打により止着され、少なくとも中央の一本の止着釘２５は、中底ボード５を貫通し、切欠長孔１５及び長孔１０に挿通され、ファイバーボード２を貫通してヒール部材７に止着され、中央の止着釘２５の周囲に配される他の複数の止着釘２６は、中底ボード５及び補強板３及びファイバーボード２を貫通してヒール部材７に止着されるように構成する手段を採用した。
【０００７】
また、請求項２記載のヒール取付部の補強装置にあっては、補強板３全体に、その厚み方向で凹凸状となるような補強凹凸部１１を多数設ける手段を採用した。
【発明の効果】
【０００８】
従って、請求項１記載のヒール取付部の補強装置によれば、補強板３を設けたことで、ヒール取付部の強度、剛性が高められるようになり、ヒール取付部とヒール部材７との連結状態も強固となり、強い外力等がヒール等に加えられた場合でも、ヒール部材７が脱落したり、ヒール取付部が変形したりすることがなく、使用者の事故を確実に防ぎ、より安全で、信頼性ある婦人靴を提供できるようになる。
しかも、構成が簡素で、耐久性があり、組立も容易で、量産に適し、経済的で、ヒールの高い婦人靴に最適なヒール取付部の補強装置となる。
【０００９】
特に、シャンク４と補強板３とファイバーボード２は、前記取付孔１６及び長孔１０に挿通されると共にファイバーボード２を貫通する略リベット状の固定具２０によって鋲着され、更に、シャンク４と補強板３とファイバーボード２とヒール部材７は、ファイバーボード２の上面がわからの複数の止着釘２５、２６の叩打により止着され、少なくとも中央の一本の止着釘２５は、中底ボード５を貫通し、切欠長孔１５及び長孔１０に挿通され、ファイバーボード２を貫通してヒール部材７に止着され、中央の止着釘２５の周囲に配される他の複数の止着釘２６は、中底ボード５及び補強板３及びファイバーボード２を貫通してヒール部材７に止着されるように構成したので、ヒール取付部の強度、剛性を格段に高められ、加えて、ヒール取付部とヒール部材７との連結状態も格段に強固で、堅牢となる。
【００１０】
更に、シャンク４には、後端がわが開放されている平面略Ｕ字状となる切欠長孔１５が切設されると共に、この切欠長孔１５の前方がわに取付孔１６が穿設され、前記補強板３には、後端部寄りに前後方向に長い長孔１０が穿設されているので、シャンク４及び補強板３は、前後方向での位置決め前のスライド調節が可能となり、より組立て易く、取扱い易い補強装置となる。
【００１１】
また、請求項２記載のヒール取付部の補強装置によれば、多数の補強凹凸部１１によって、補強板３全体の強度及び剛性が増すようになる。
しかも、補強板３がファイバーボード２や中底ボード５やシャンク４に接触している時の食い付き状態が良くなると共に、前後左右方向での補強板３の滑り等が生じる虞がなくなり、より優れた止着状態が期待できるようになる。
加えて、止着釘２６が補強板３を貫通する際に、止着釘２６先端と補強板３表面との間で前後左右方向に滑りが生じ難くなり、止着釘２６を所望の通りに止着させることができるようになる。
【発明を実施するための最良の形態】
【００１２】
以下、本発明を図示例に基づいて説明すると、次の通りである。
本発明のヒール取付部の補強装置は、例えば、比較的高いヒールを有する婦人靴等に有効なもので、ヒール等に比較的強い不意の外力等が加えられた時でも、ヒール取付部からヒール部材が脱落したり、或いはヒール取付部が変形したりすることがないようにしたヒール取付部の補強装置である。
【００１３】
具体的には、婦人靴の略靴底形状を呈する中底ボード５と、この中底ボード５下面の略後半部がわに接着される比較的硬質なファイバーボード２と、このファイバーボード２と中底ボード５の間に介装される薄板金属状の補強板３と、ファイバーボード２と中底ボード５の間に介装されると共に、その後端部がわが補強板３と中底ボード５との間に介装される適宜金属製のシャンク４とを備えたものである。
【００１４】
そして、前記シャンク４には、後端がわが開放されている平面略Ｕ字状となる切欠長孔１５が切設されると共に、この切欠長孔１５の前方がわに取付孔１６が穿設され、前記補強板３には、後端部寄りに前後方向に長い長孔１０が穿設されている。
【００１５】
また、シャンク４と補強板３とファイバーボード２は、前記取付孔１６及び長孔１０に挿通されると共にファイバーボード２を貫通する略リベット状の固定具２０によって鋲着される。
【００１６】
更に、シャンク４と補強板３とファイバーボード２とヒール部材７は、ファイバーボード２の上面がわからの複数の止着釘２５、２６の叩打により止着される。
しかも、少なくとも中央の一本の止着釘２５は、中底ボード５を貫通し、切欠長孔１５及び長孔１０に挿通され、ファイバーボード２を貫通してヒール部材７に止着され、中央の止着釘２５の周囲に配される他の複数の止着釘２６は、中底ボード５及び補強板３及びファイバーボード２を貫通してヒール部材７に止着されるように構成されている。
【００１７】
加えて、補強板３全体には、その厚み方向で凹凸状となるような補強凹凸部１１を多数設けてある。
【実施例】
【００１８】
図中１は、アウトソールとなる本底で、この本底１は、例えば、適宜ゴム材や、適宜合成樹脂材や、皮革や、これらの複合材等によって構成され、ファイバーボード２と中底ボード５の下面部分に接着されると共に、ヒール部材７の前面部分に接着できるように形成されている。尚、本底１は、ファイバーボード２の外縁部分及び取付部５の先端がわ外縁部分に巻きつけられるようにしてその下面部分に固定される甲被部材９の一部にも接着されるものである。
【００１９】
ファイバーボード２は、例えば、適宜合成樹脂材や、適宜紙材や、これらの複合材や、これらをガラス繊維等で強化したもの等によって構成され、比較的硬質で、強度が高いものが利用される。しかも、靴底の略後半部分に合致するような適宜湾曲した板状に形成されている。
【００２０】
補強板３は、例えば、比較的薄い金属板材（或いは、強化された適宜合成樹脂材や、強化された複合材等でも良い）等によって構成され、後端がわが円弧状となるような比較的大きな略舌片状に形成されている。
そして、補強板３は、左右方向中央で且つ後端部寄りとなる位置に、前後方向に長い長孔１０が穿設されており、更に、補強板３の上下面には、その厚み方向で凹凸状となるような補強凹凸部１１が多数設けられている。
尚、補強凹凸部１１は、例えば、前後方向に長い凸条と凹条を左右方向に於いて交互に配し、更に、前後方向に於いて、左右方向に長い凸条と凹条を交互に設けるようにしてもと良いし、その他適宜構成のものが採用できる。すなわち、多数の補強凹凸部１１によって、補強板３全体の強度及び剛性が増すように構成されていれば良い。
【００２１】
シャンク４は、例えば、適宜金属板材（或いは、強化された適宜合成樹脂材や、強化された複合材等でも良い）等によって構成され、婦人靴の形状に応じて上下方向に予め湾曲していると共に、前後方向に長い細長帯状に形成されている。
そして、シャンク４は、前後方向に長く且つ後端がわが開放されている略細長Ｕ字状の切欠長孔１５が後端部分に切設されており、この切欠長孔１５の前端近傍に、小円孔状の取付孔１６が穿設されている。
更に、シャンク４には、適宜補強ビード１７が設けられており、シャンク４自身の強度や剛性が高められるように形成されている。
【００２２】
中底ボード５は、例えば、適宜紙材（或いは、強化紙材）や、適宜合成樹脂材(或いは、適宜発泡性樹脂材)や、これらの複合材等によって構成され、婦人靴の形状に合致するように形成されている。
【００２３】
図中６は、例えば、適宜皮革（或いは、合成材でも良い）によって婦人靴の形状に合致するように形成される中敷で、この中敷６は、中底ボード５の上面に接着されるようになっている。しかも、この中敷６によって、止着釘２５、２６の頭部が隠れるようになる。
尚、中敷６と中底ボード５との間の後部がわ（止着釘２５、２６の頭部が配されている部分）に、例えば、適宜発泡性樹脂材等によって構成される充填クッション材を介装せしめても良い（図示せず）。
【００２４】
ヒール部材７は、例えば、適宜合成樹脂材や、適宜木材や、適宜複合材等によって構成され、婦人靴の形状、寸法に応じて、その形状、寸法等が決定される。
【００２５】
甲被部材９は、例えば、適宜皮革や、適宜合成皮革等によって構成され、婦人靴の形状、寸法に応じて、その形状、寸法等が決定される。尚、甲被部材９は、一枚で構成されたものであっても良いし、複数枚で構成されたものであっても良い。
【００２６】
ところで、本底１とファイバーボード２との間の隙間部分（甲被部材９が存在しない部分）や、本底１と中底ボード５との間の隙間部分（甲被部材９が存在しない部分）には、例えば、適宜発泡性樹脂材等によって構成される充填クッション材を介装せしめ、本底１とファイバーボード２、本底１と中底ボード５の接着安定性が夫々増すように構成しても良い。
【００２７】
固定具２０は、例えば、適宜金属材等によって構成され、中空状のリベットやハトメ状に形成されており、この固定具２０によって、シャンク４の取付孔１６と補強板３の長孔１０に挿通させ、ファイバーボード２を貫通して、シャンク４と補強板３とファイバーボード２とが、確実に、強固に、且つ安定的に鋲着できるように構成されている。
【００２８】
止着釘２５、２６は、例えば、適宜金属材等によって構成されると共に適宜抜け止め防止手段が施されたものが利用されている。
そして、止着釘２５、２６は、中底ボード５（ファイバーボード２）の上面がわから下方に向って叩打することにより止着できるよう構成されており、中底ボード５とシャンク４と補強板３とファイバーボード２とヒール部材７とが、確実に、強固に、且つ安定的に固着できるように構成されている。
【００２９】
特に、中央の一本の止着釘２５にあっては、例えば、その頭部下方に比較的大きな円環状の頭部受板が配置されており、止着釘２５の頭部が、中底ボード５を貫通しないようにすると共に、シャンク４の切欠長孔１５の周縁部分に確実に中底ボード５を介して係止するように形成してある。
また、中央の一本の止着釘２５は、中底ボード５を貫通し、切欠長孔１５及び長孔１０に挿通され、ファイバーボード２を貫通してヒール部材７に止着できるように形成されている。
尚、中央の止着釘２５は、複数設けても良い。
【００３０】
更に、前記中央の止着釘２５の周囲に配される複数（例えば、四本）の止着釘２６は、例えば、中央の止着釘２５より稍細いものが利用され、中底ボード５及び補強板３及びファイバーボード２を貫通してヒール部材７に止着できるように形成されている。
【００３１】
ところで、補強装置の具体的構成、形状、寸法、材質、本底１の具体的構成、形状、寸法、材質、ファイバーボード２の具体的構成、形状、寸法、材質、配設位置、補強板３の具体的構成、形状、寸法、材質、配設位置、シャンク４の具体的構成、形状、寸法、材質、配設位置、中底ボード５の具体的構成、形状、寸法、材質、中敷６の具体的構成、形状、寸法、材質、ヒール部材７の具体的構成、形状、寸法、材質、甲被部材９の具体的構成、形状、寸法、材質、長孔１０の具体的構成、形状、寸法、配設位置、補強凹凸部１１の具体的構成、形状、寸法、数、配設位置、切欠長孔１５の具体的構成、形状、寸法、配設位置、取付孔１６の具体的構成、形状、寸法、数、配設位置、補強ビード１７の具体的構成、形状、寸法、数、配設位置、固定具２０の具体的構成、形状、寸法、材質、配設位置、数、止着釘２５、２６の具体的構成、形状、寸法、材質、数、配設位置等は、図示例のもの等に限定されることなく、適宜自由に設定、変更できるものである。
【００３２】
本発明の補強装置は、前述の如く構成されており、次のようなヒールの取付強さの試験結果からも明らかなように、ヒールが高い（長い）程、より優れた、強度を発揮できるものとなっている。
【表１】
2006255198.tif 000003
【表２】
2006255198.tif 000004
【図面の簡単な説明】
【００３３】
【図１】本発明を例示する分解斜視図である。
【図２】本発明を例示する一部省略縦断側面図である。
【図３】本発明を例示する部分縦断正面図である。
【符号の説明】
【００３４】
１    本底              ２    ファイバーボード
３    補強板            ４    シャンク
５    中底ボード        ６    中敷
７    ヒール部材        
９    甲被部材
１０  長孔              １１  補強凹凸部
１５  切欠長孔          １６  取付孔
１７  補強ビード
２０  固定具
２５  止着釘            ２６  止着釘
【図１】
2006255198.tif 000005
【図２】
2006255198.tif 000006
【図３】
2006255198.tif 000007